(57)【要約】【課題】本発明は、端子収容部に設けられたランスの端子金具に対する保持力の向上を図ることができるとともに生産効率の向上を図ることができるコネクタを提供することを目的とする。【解決手段】電線７に接続される電線接続部３と、相手方の端子金具に接続される電気接触部５と、電線接続部３と電気接触部５との間に設けられた筒部４と、を備えた端子金具２と、前記端子金具２を収容する端子収容部６１が設けられたハウジング６と、を備えている。ハウジング６には、一端が端子収容部６１の内面に連なり他端が自由端となり端子金具２の筒部４に向かって伸びたランス６５が設けられ、筒部４には開口部４ａが形成されており、開口部４ａの電気接触部５側の縁部には、ランス６５の自由端に係止する係止部４５が設けられている。係止部４５は、開口部４ａの前記縁部から筒部４の内側方向に突出するように設けられている。【選択図】図１
2015156387.tif 000002
【特許請求の範囲】
【請求項１】
電線に接続される電線接続部と、相手方の端子金具に接続される電気接触部と、前記電線接続部と前記電気接触部との間に設けられた筒部と、を備えた端子金具と、
前記端子金具を収容する端子収容部が設けられたハウジングと、を備え、
前記ハウジングには、一端が前記端子収容部の内面に連なり他端が自由端となり前記端子金具の前記筒部に向かって伸びたランスが設けられ、
前記筒部には開口部が形成されており、前記開口部の前記電気接触部側の縁部には、前記ランスの前記自由端に係止する係止部が設けられたコネクタにおいて、
前記係止部は、前記開口部の前記縁部から前記筒部の内側方向に突出するように設けられていることを特徴とするコネクタ。
【請求項２】
前記係止部は、前記筒部を構成する外壁の一部が、前記筒部の内側方向に曲げられることで形成されていることを特徴とする請求項１に記載のコネクタ。
【請求項３】
前記係止部の表面には凹凸が形成されていることを特徴とする請求項１または請求項２に記載のコネクタ。
【発明の詳細な説明】
【技術分野】
【０００１】
本発明は、端子金具と前記端子金具を収容する端子収容部が設けられたハウジングとによって構成されたコネクタに関する。
【０００２】
移動体としての自動車には、多種多様な電子機器が搭載されている。この電子機器に電力や制御信号などを伝えるためにワイヤハーネスが用いられる。ワイヤハーネスは、複数の電線とコネクタとを備えている。コネクタは、電線の端末に取り付けられる端子金具と、前記端子金具を収容する複数の端子収容部が設けられたハウジングと、を備えている（例えば、特許文献１参照）。図７は、特許文献１に示された従来のコネクタを示す断面図である。図８は、図７に示されたコネクタを構成する端子金具の一部を示す斜視図である。
【０００３】
図７、図８に示すように、上記端子金具１０２は、電線７に接続される電線接続部１０３と、前記電線接続部１０３に連なり、相手方の端子金具に接続される電気接触部１０５と、前記電気接触部１０５に設けられた係止部１４５と、を備えている。端子金具１０２は、その長手方向Ｎに沿って端子収容部１６１に挿入される。そして、端子金具１０２の係止部１４５が端子収容部１６１のランス１６５に係止されるとともに、端子金具１０２が端子収容部１６１に収容される。係止部１４５がランス１６５に係止されると、電線７が引っ張られた際においても、電線７に接続された端子金具１０２は端子収容部１６１から抜け出ることが防止される。
【０００４】
上記係止部１４５は、電気接触部１０５から端子収容部１６１のランス１６５に向かって突出するように設けられている。即ち、係止部１４５は電気接触部１０５から外側方向に突出するように設けられている。
【０００５】
また、係止部１４５は、電線接続部１０３側が開口するように電気接触部１０５を構成する外壁１０５ａが電気接触部１０５の外側方向に打ち出されることで形成された係止突部１４６と、係止突部１４６の一部が電気接触部１０５の内側方向に打ち出されることで形成された内向き突部１４７と、を備えている。この係止部１４５は、電気接触部１０５の外壁１０５ａが外側方向に打ち出されることで係止突部１４６が形成された後、係止突部１４６が内側方向に打ち出されることで内向き突部１４７が形成されることで構成されている。
【０００６】
上記端子収容部１６１には、一端が端子収容部１６１の内面に連なり他端が自由端となるランス１６５が設けられている。ランス１６５は、端子収容部１６１の幅方向の中央部に設けられている。このランス１６５の幅方向に沿った寸法は、端子金具１０２に設けられた内向き突部１４７の幅方向に沿った寸法Ｌよりも小さくなるように形成されている。
【０００７】
上述した構成の従来のコネクタ１０１には、係止部１４５が、電気接触部１０５の外壁１０５ａが外側方向に打ち出されることで形成された係止突部１４６と、係止突部１４６が内側方向に打ち出されることで形成された内向き突部１４７と、を備えているので、係止突部１４６の外側方向に打ち出された寸法Ｔ１と、内向き突部１４７の内側方向に打ち出された寸法Ｔ２と和である寸法Ｔ３が係止部１４５のランス１６５に対する係り代となる。このように従来のコネクタ１０１は、係止部１４５の係り代、即ち寸法Ｔ３を大きくすることで、ランス１６５の端子金具１０２に対する保持力を大きくしていた。
【先行技術文献】
【特許文献】
【０００８】
【特許文献１】特開２００４−４７２２７号公報
【発明の開示】
【発明が解決しようとする課題】
【０００９】
しかしながら、上述した従来のコネクタ１０１には、以下に示す問題点があった。即ち、コネクタ１０１の端子金具１０２に設けられた係止部１４５は、電気接触部１０５の外壁１０５ａが外側方向に打ち出されて係止突部１４６が形成された後、係止突部１４６が内側方向に打ち出されて内向き突部１４７が形成されることで構成されていたので、内向き突部１４７が形成されると同時に、係止突部１４６の外表面から凹の凹み１４７´が形成されてしまうこととなる。この凹み１４７´が形成されてしまうことで係止部１４５のランス１６５に対する接触面積が小さくなってしまい、そのために、ランス１６５の端子金具１０２に対する保持力が小さくなってしまうという問題があった。また、係止部１４５は、電気接触部１０５の外壁１０５ａが外側方向に打ち出されて係止突部１４６が形成された後、係止突部１４６が内側方向に打ち出されて内向き突部１４７が形成されることで構成されていたので、端子金具１０２を形成する手間がかかり、そのためにコネクタ１０１を製造する際にかかる所要時間が長時間化して、コネクタ１０１の生産効率を低下させる虞れがあった。
【００１０】
本発明は、上記課題に係る問題を解決することを目的としている。即ち、本発明は、端子収容部に設けられたランスの端子金具に対する保持力の向上を図ることができるとともに、生産効率の向上を図ることができるコネクタを提供することを目的とする。
【課題を解決するための手段】
【００１１】
請求項１に記載の本発明は、電線に接続される電線接続部と、相手方の端子金具に接続される電気接触部と、前記電線接続部と前記電気接触部との間に設けられた筒部と、を備えた端子金具と、前記端子金具を収容する端子収容部が設けられたハウジングと、を備え、前記ハウジングには、一端が前記端子収容部の内面に連なり他端が自由端となり前記端子金具の前記筒部に向かって伸びたランスが設けられ、前記筒部には開口部が形成されており、前記開口部の前記電気接触部側の縁部には、前記ランスの前記自由端に係止する係止部が設けられたコネクタにおいて、前記係止部は、前記開口部の前記縁部から前記筒部の内側方向に突出するように設けられていることを特徴とするコネクタである。
【００１２】
請求項２に記載の本発明は、請求項１に記載のコネクタにおいて、前記係止部は、前記筒部を構成する外壁の一部が、前記筒部の内側方向に曲げられることで形成されていることを特徴とする。
【００１３】
請求項３に記載の本発明は、請求項１または請求項２に記載のコネクタにおいて、前記係止部の表面には凹凸が形成されていることを特徴とする。
【発明の効果】
【００１４】
請求項１記載の本発明によれば、電線に接続される電線接続部と、相手方の端子金具に接続される電気接触部と、前記電線接続部と前記電気接触部との間に設けられた筒部と、を備えた端子金具と、前記端子金具を収容する端子収容部が設けられたハウジングと、を備え、前記ハウジングには、一端が前記端子収容部の内面に連なり他端が自由端となり前記端子金具の前記筒部に向かって伸びたランスが設けられ、前記筒部には開口部が形成されており、前記開口部の前記電気接触部側の縁部には、前記ランスの前記自由端に係止する係止部が設けられている。前記係止部は、前記開口部の前記縁部から前記筒部の内側方向に突出するように設けられており、係止部のランスに対する接触面積が大きくなり、端子収容部に設けられたランスの端子金具に対する保持力の向上を図ることができるコネクタを提供することを目的とする。
【００１５】
請求項２記載の本発明によれば、前記係止部は、前記筒部を構成する外壁の一部が、前記筒部の内側方向に曲げられることで形成されているので、端子金具を形成するための手間が低減されることとなり、そのためにコネクタを製造する際にかかる所要時間が短時間化して、生産効率の向上を図ることができる。
【００１６】
請求項３記載の本発明によれば、前記係止部の表面には凹凸が形成されているので、係止部の表面の摩擦抵抗が大きくなり、係止部がランスの自由端に対して滑りにくくなり、より一層、端子収容部に設けられたランスの端子金具に対する保持力の向上を図ることができる。
【図面の簡単な説明】
【００１７】
【図１】本発明の一実施の形態にかかるコネクタを示す断面図である。
【図２】図１に示されたコネクタを構成する端子金具を示す斜視図である。
【図３】図２中のＩ−Ｉ線に沿う断面図である。
【図４】図３中のＩＩ−ＩＩ線に沿う断面図である。
【図５】図２に示された端子金具の変形例を示す断面図である。
【図６】図５に示された端子金具の他の変形例を示す断面図である。
【図７】従来のコネクタを示す断面図である。
【図８】図７に示されたコネクタを構成する端子金具の一部を示す斜視図である。
【発明を実施するための形態】
【００１８】
本発明の一実施の形態にかかるコネクタを図１ないし図４を参照して説明する。
【００１９】
コネクタ１は、自動車などに配索されるワイヤハーネスを構成するものであり、図１に示すように、ワイヤハーネスを構成する電線７の端末に取り付けられる端子金具２と、前記端子金具２を収容する端子収容部６１が設けられたハウジング６と、を備えている。
【００２０】
上記端子金具２は、導電性の板金が折り曲げられることで得られるものである。また、端子金具２は、図２〜図４に示すように、電線７に接続される電線接続部３と、前記電線接続部３に連なり、端子収容部６１に設けられた後述するランス６５に係止するハウジング取付部４と、前記ハウジング取付部４に連なり、相手方の端子金具に接続される電気接触部５と、を備えている。この端子金具２は、電線接続部３が電線７に接続された状態で、電気接触部５側からハウジング６の端子収容部６１に挿入される。端子金具２は、その長手方向Ｎに沿って端子収容部６１に挿入される。
【００２１】
上記電線接続部３は、図２、図３に示すように、電線７を表面上に位置付ける基壁３１と、前記基壁３１の幅方向の両端部から立設し電線７の芯線７１を圧着する一対の芯線圧着片３２と、基壁３１の幅方向の両端部から立設し電線７の絶縁被覆を圧着する一対の絶縁被覆圧着片３３と、を備えている。
【００２２】
電線接続部３は、端部が皮剥きされて芯線７１が露出した状態の断面丸形の電線７が基壁３１上に載置された後、この電線７の芯線７１部分を基壁３１に向かって押しつける方向に芯線圧着片３２が曲げられて、即ち芯線圧着片３２で電線７の芯線７１部分をかしめて電線７と電気的に接続される。また同様に、この電線７の被覆部分を基壁３１に向かって押しつける方向に絶縁被覆圧着片３３が曲げられて、即ち絶縁被覆圧着片３３で電線７の絶縁被覆部分をかしめて電線７と固定される。また、図２、図３は、芯線圧着片３２及び絶縁被覆圧着片３３が電線をかしめる前の状態を示している。
【００２３】
上記ハウジング取付部４は、図２、図３に示すように、基壁３１に連なる基壁４２と、前記基壁４２と間隔をあけて設けられた第１対向壁４３と、基壁４２及び第１対向壁４３の幅方向の両端部を連結する一対の側壁４４ａ、４４ｂと、によって中空角柱状に形成された第１筒部４１と、端子収容部６１に設けられたランス６５に係止する係止部４５と、を備えている。即ち、第１対向壁４３はハウジング取付部４を構成している。ハウジング取付部４は、上記電線接続部３と電気接触部５との間に設けられている。ハウジング取付部４は、特許請求項の範囲に示された「筒部」に相当する。また、第１対向壁４３は、特許請求項の範囲に示された「外壁」に相当する。
【００２４】
上記第１筒部４１には、第１対向壁４３から一対の側壁４４ａ、４４ｂのうち一方の側壁４４ａに亘って設けられ、これら第１対向壁４３及び一方の側壁４４ａ、を貫通した開口部４ａが設けられている。
【００２５】
上記係止部４５は、図４に示すように、第１対向壁４３の一部が第１筒部４１の内側方向に曲げられることで形成されている。即ち、係止部４５は、開口部４ａの電気接触部５側の縁部から第１筒部４１の内側方向に突出するように設けられている。この係止部４５の電線接続部３側の表面には複数の凸部４５ａが形成されている。即ち、係止部４５の電線接続部３側の表面には複数の凸部４５ａが形成されており、該係止部４５の表面は凹凸に形成されている。凸部４５ａは半球状に形成されている。
【００２６】
上記電気接触部５は、基壁４２に連なる基壁５２と、ハウジング取付部４の第１対向壁４３に連なる第２対向壁５３と、ハウジング取付部４に設けられた一対の側壁４４ａ、４４ｂそれぞれに連なる一対の側壁５４と、によって中空角柱状に形成された第２筒部５１と、ばね片５５と、を備えている。
【００２７】
上記第２筒部５１は、ハウジング取付部４から離れた端部、即ち端子金具２の一端部２ａ（図３に示す）に挿入口が設けられ、該挿入口から相手方の端子金具の挿入子が挿入される。第２筒部５１の第２対向壁５３の内面には、該第２対向壁の内面から基壁５２に向かって突出した突出部５３ａが設けられている。この突出部５３ａは、長手方向Ｎに沿って伸びている。
【００２８】
上記ばね片５５は、第２筒部５１を形成する基壁５２の内面に取り付けられている。そして、ばね片５５は、第２筒部５１の内側に挿入された挿入子を第２対向壁５３に向かって付勢する。
【００２９】
また、相手方の端子金具の挿入子は電気接触部５に挿入されると、突出部５３ａとばね片５５とに弾性的に接触される。このことにより、相手方の端子金具と端子金具２とが電気的に接続される。
【００３０】
上記ハウジング６は絶縁性の合成樹脂から構成されている。このハウジング６は、内側に上記端子金具２を収容する複数の端子収容部６１と、ランス６５と、を備えている。図１では、複数の端子収容部６１のうち１つのみを示し、他の端子収容部６１は省略されている。
【００３１】
上記端子収容部６１は、底壁６２と、前記底壁６２と間隔をあけて設けられた天井壁６３と、底壁６２と天井壁６３との幅方向の両縁部を連結する一対の側壁６４と、によって、長手方向Ｎに沿って伸びた筒状に形成されている。即ち、端子収容部６１の長手方向Ｎに沿った両端部６ａ、６ｂは、ハウジング６の外部と連通している。このような端子収容部６１には、長手方向Ｎに沿った一端部６ａから他端部６ｂに向かって上述した端子金具２が挿入される。
【００３２】
上記ランス６５は棒状に形成されている。このランス６５は、端子収容部６１の長手方向Ｎの中央部に設けられている。ランス６５は、その長手方向Ｎの一端が底壁６２の内面に連なり、他端が自由端となっている。また、ランス６５は一端から他端に向かうにしたがって、底壁６２から天井壁６３に向かう方向に傾斜している。即ち、ランス６５の他端（自由端）は端子金具２のハウジング取付部４に向かって伸びている。また、ランス６５には、その他端に設けられ、端子金具２の係止部４５に当接する当接部６６と、前記当接部６６よりも底壁６２側に設けられ、当接部６６よりも端子収容部６１の一端部６ａに突出した口ばし部６７と、が設けられている。この口ばし部６７は、当接部６６が係止部４５に当接すると電気接触部５を構成する第２対向壁５３の外表面に沿う。また、本発明では、ランス６５の当接部６６が端子金具２の係止部４５に当接することを「端子金具２（係止部４５）がランス６５に係止する」と表現する。
【００３３】
次に、上述した構成のコネクタ１の組み立て手順について説明する。
【００３４】
まず、電線７の端末に接続された状態の端子金具２の電気接触部５側を端子収容部６１に近付けて、端子金具２を一端部６ａから端子収容部６１に挿入する。電気接触部５がランス６５と相対する位置を通過する際には、電気接触部５がランス６５を底壁６２に近付く方向に押し付ける。こうして電気接触部５は、ランス６５を底壁６２に近付く方向に弾性変形させながら通過する。
【００３５】
そして、端子金具２が端子収容部６１に挿入されて、電気接触部５が端子収容部６１の他端部６ｂに位置付けられる、即ち、端子金具２が端子収容部６１に収容されると、弾性変形していたランス６５が元の位置に復元し、ランス６５の当接部６６が係止部４５に当接する。即ち、端子金具２（係止部４５）がランス６５に係止する。このことにより、端子金具２が端子収容部６１から抜け出ることが防止される。こうしてコネクタが組み立てられる。
【００３６】
上述した実施形態によれば、係止部４５は、開口部４ａの縁部からハウジング取付部４の内側方向に突出するように設けられているので、係止部４５のランス６５に対する接触面積が大きくなり、ランス６５の端子金具２に対する保持力の向上を図ることができる。よって、端子収容部６１に設けられたランス６５の端子金具２に対する保持力の向上を図ることができるコネクタ１を提供することができる。
【００３７】
また、係止部４５は、ハウジング取付部４を構成する第１対向壁４１の一部が、ハウジング取付部４の内側方向に曲げられることで形成されているので、端子金具２を形成するための手間が低減されることとなり、そのためにコネクタ１を製造する際にかかる所要時間が短時間化して、生産効率の向上を図ることができる。
【００３８】
また、係止部４５の表面には凹凸が形成されているので、係止部４５の表面の摩擦抵抗が大きくなり、係止部４５がランス６５の自由端に対して滑りにくくなり、より一層、端子収容部６１に設けられたランスの６５の端子金具２に対する保持力の向上を図ることができる。
【００３９】
なお、上述した実施形態では、図４に示すように、係止部４５は電線接続部３側の表面に形成された凸部４５ａが半球状に形成されている。即ち、凸部４５ａは平面視が円形状に形成されているが、本発明はこれに限ったものではなく、図５に示すように、係止部４５´は電線接続部３側の表面に形成された凸部４５ａ´が方体状に形成されていてもよい。即ち、係止部４５´は電線接続部３側の表面に凹凸が形成されていれば、凸部４５ａ´は平面視が矩形状に形成されていていてもよい。
【００４０】
また、上述した実施形態では、係止部４５、係止部４５´の電線接続部３側の表面には凸部４５ａ、凸部４５ａ´が形成されているが、本発明はこれに限ったものではなく、凸部４５ａ、凸部４５ａ´はなくてもよい。
【００４１】
また、上述した実施形態によれば、電気接触部５は第２筒部５１とばね片５５とを備え、中空角柱状に形成された雌型の端子金具２であるが、本発明はこれに限ったものではなく、図６に示すように、電気接触部５´は、雄型の端子金具２´に設けられた挿入子であってもよい。また、図６において、前述した実施形態と同一部分には、同一符号を付して説明を省略する。
【００４２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１  コネクタ
２、２´  端子金具
３  電線接続部
４  ハウジング取付部
５、５´  電気接触部
６  ハウジング
７  電線
４３  第１対向壁（外壁）
４５  係止部
６１  端子収容部
６５  ランス
【図１】
2015156387.tif 000003
【図２】
2015156387.tif 000004
【図３】
2015156387.tif 000005
【図４】
2015156387.tif 000006
【図５】
2015156387.tif 000007
【図６】
2015156387.tif 000008
【図７】
2015156387.tif 000009
【図８】
2015156387.tif 000010
【手続補正書】
【提出日】平成27年4月21日(2015.4.21)
【手続補正１】
【補正対象書類名】明細書
【補正対象項目名】００１１
【補正方法】変更
【補正の内容】
【００１１】
請求項１に記載の本発明は、電線に接続される電線接続部と、相手方の端子金具に接続される電気接触部と、前記電線接続部と前記電気接触部との間に設けられた筒部と、を備えた端子金具と、前記端子金具を収容する端子収容部が設けられたハウジングと、を備え、  前記ハウジングには、一端が前記端子収容部の内面に連なり他端が自由端となり前記端子金具の前記筒部に向かって伸びたランスが設けられ、前記筒部には開口部が形成されており、前記開口部の前記電気接触部側の縁部には、前記ランスの前記自由端に係止する係止部が設けられたコネクタにおいて、前記係止部は、前記開口部の前記縁部から前記筒部の内側方向に突出するように設けられ、前記ランスに係止された際に当接される表面を有し、該表面に複数の凸部が散点状に形成され、前記凸部が、半球状に形成されていることを特徴とするコネクタである。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
請求項１記載の本発明によれば、電線に接続される電線接続部と、相手方の端子金具に接続される電気接触部と、前記電線接続部と前記電気接触部との間に設けられた筒部と、を備えた端子金具と、前記端子金具を収容する端子収容部が設けられたハウジングと、を備え、前記ハウジングには、一端が前記端子収容部の内面に連なり他端が自由端となり前記端子金具の前記筒部に向かって伸びたランスが設けられ、前記筒部には開口部が形成されており、前記開口部の前記電気接触部側の縁部には、前記ランスの前記自由端に係止する係止部が設けられている。前記係止部は、前記開口部の前記縁部から前記筒部の内側方向に突出するように設けられており、係止部のランスに対する接触面積が大きくなり、端子収容部に設けられたランスの端子金具に対する保持力の向上を図ることができるコネクタを提供することを目的とする。また、前記係止部の表面には凹凸が形成されているので、係止部の表面の摩擦抵抗が大きくなり、係止部がランスの自由端に対して滑りにくくなり、より一層、端子収容部に設けられたランスの端子金具に対する保持力の向上を図ることができる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】
【図１】本発明の一実施の形態にかかるコネクタを示す断面図である。
【図２】図１に示されたコネクタを構成する端子金具を示す斜視図である。
【図３】図２中のＩ−Ｉ線に沿う断面図である。
【図４】図３中のＩＩ−ＩＩ線に沿う断面図である。
【図５】図２に示された端子金具の参考例を示す断面図である。
【図６】図２に示された端子金具の変形例を示す斜視図である。
【図７】従来のコネクタを示す断面図である。
【図８】図７に示されたコネクタを構成する端子金具の一部を示す斜視図である。
【手続補正６】
【補正対象書類名】明細書
【補正対象項目名】００３９
【補正方法】変更
【補正の内容】
【００３９】
なお、上述した実施形態では、図４に示すように、係止部４５は電線接続部３側の表面に形成された凸部４５ａが半球状に形成されている。即ち、凸部４５ａは平面視が円形状に形成されている。ここで、本発明には当たらないが、図５に示すような参考例として、係止部４５´は電線接続部３側の表面に形成された凸部４５ａ´が方体状に形成されていてもよい。即ち、係止部４５´は電線接続部３側の表面に凹凸が形成されていれば、凸部４５ａ´は平面視が矩形状に形成されていていてもよい。
【手続補正７】
【補正対象書類名】明細書
【補正対象項目名】００４０
【補正方法】変更
【補正の内容】
【００４０】
また、上述した実施形態では、係止部４５、係止部４５´の電線接続部３側の表面には凸部４５ａ、凸部４５ａ´が形成されている。ここで、本発明には当たらないが、凸部４５ａ、凸部４５ａ´はなくてもよい。
【手続補正８】
【補正対象書類名】特許請求の範囲
【補正対象項目名】全文
【補正方法】変更
【補正の内容】
【特許請求の範囲】
【請求項１】
電線に接続される電線接続部と、相手方の端子金具に接続される電気接触部と、前記電線接続部と前記電気接触部との間に設けられた筒部と、を備えた端子金具と、
前記端子金具を収容する端子収容部が設けられたハウジングと、を備え、
前記ハウジングには、一端が前記端子収容部の内面に連なり他端が自由端となり前記端子金具の前記筒部に向かって伸びたランスが設けられ、
前記筒部には開口部が形成されており、前記開口部の前記電気接触部側の縁部には、前記ランスの前記自由端に係止する係止部が設けられたコネクタにおいて、
前記係止部は、前記開口部の前記縁部から前記筒部の内側方向に突出するように設けられ、前記ランスに係止された際に当接される表面を有し、該表面に複数の凸部が散点状に形成され、
前記凸部が、半球状に形成されていることを特徴とするコネクタ。
【請求項２】
前記係止部は、前記筒部を構成する外壁の一部が、前記筒部の内側方向に曲げられることで形成されていることを特徴とする請求項１に記載のコネクタ。